(57)【要約】【課題】首筋への直射日光を遮り、容易に入手可能な冷却された飲料で首筋を冷却する事ができて、さらに、水分の摂取も可能な身体冷暖具を提供する。【解決手段】身体冷暖具１は、冷暖ボトル１０を内蔵する収納袋１１と、収納袋１１に取り付けられたストラップ１２と、ストラップ１２の端部に取り付けられたクリップ１３とを有し、クリップ１３はヘルメット２０のヘッドバンド２１またはキャップの端部に取り付けられる。ストラップ１２は長さ調節が可能であって、ヘルメット２０またはキャップをかぶった状態で収納袋１１が首筋に当接することを特徴とする。【選択図】図１
0003228608.tif 000002
【実用新案登録請求の範囲】
【請求項１】
冷暖ボトルを内蔵する収納袋と、前記収納袋に取り付けられたストラップと、前記ストラップの端部に取り付けられたクリップとを有し、前記クリップはヘルメットのヘッドバンドまたはキャップの端部に取り付けられ、前記ストラップは長さ調節が可能であって、前記ヘルメットまたは前記キャップをかぶった状態で前記収納袋が首筋に当接することを特徴とする身体冷暖具。
【考案の詳細な説明】
【技術分野】
【０００１】
本考案は、例えば熱中症対策として、身体を冷やすために、ペットボトル等と称されるような飲料ボトル（本稿案では冷暖ボトルと呼ぶ。）に飲料を充填した状態で身体に触れて保持する身体冷暖具に関する。
なお、熱中症対策としては、冷暖ボトルに冷水等が充填されるが、冷暖ボトルに温水等を充填して、放熱による保温（冷え予防）対策としても利用できるものである。
【背景技術】
【０００２】
近年、夏期の気温が高くなり、高温環境下での作業においては、熱中症対策が必要である。熱中症対策としては、水分の摂取と、首筋を冷却することが有効であるとされている。また、屋外での活動では、首筋への直射日光を遮ることも有効であるとされている。
【０００３】
例えば、特許文献１では、頭頂部を覆うように頭部に装着される頭部装着部と、頭部装着部に垂設され、後頭部下の首筋に垂れ下がる垂下部、垂下部に設けられ、保冷剤を収容するポケットを備える首筋冷却具が提案されている。
【先行技術文献】
【特許文献】
【０００４】
【特許文献１】特開２０１２−３６５３３号公報
【考案の概要】
【考案が解決しようとする課題】
【０００５】
しかしながら、特許文献１に開示された首筋冷却具では、首筋への直射日光を遮り、保冷剤が冷えている間は首筋を冷却することができるが、保冷剤の温度が上昇してしまえば首筋を冷却することはできない。そして、冷却された保冷剤は、一般に入手が容易であるものでは無い。さらに、特許文献１に開示された首筋冷却具は、水分の摂取について考慮されていないという課題がある。
【０００６】
本考案は、上記実情に鑑みてなされたものであり、首筋への直射日光を遮り、容易に入手可能な冷却された冷暖ボトルで首筋を冷却する事ができて、さらに、水分の摂取も可能な身体冷暖具を提供することを目的とする。
【課題を解決するための手段】
【０００７】
上記目的を達成するため、本考案に係る身体冷暖具は、冷暖ボトルを内蔵する収納袋と、前記収納袋に取り付けられたストラップと、前記ストラップの端部に取り付けられたクリップとを有し、前記クリップはヘルメットのヘッドバンドまたはキャップの端部に取り付けられ、前記ストラップは長さ調節が可能であって、前記ヘルメットまたは前記キャップをかぶった状態で前記冷暖ボトルが首筋に当接することを特徴とする。
【考案の効果】
【０００８】
本考案によれば、首筋への直射日光を遮り、容易に入手可能な冷却された冷暖ボトルで首筋を冷却する事ができて、さらに、水分の摂取も可能な身体冷暖具を提供することができる。
【図面の簡単な説明】
【０００９】
【図１】本考案の実施の形態１に係る身体冷暖具を装着した状態の側面図
【図２】本考案の実施の形態１に係る身体冷暖具の背面図
【図３】本考案の実施の形態２に係る身体冷暖具を装着した状態の側面図
【考案を実施するための形態】
【００１０】
（実施の形態１）
本考案の実施の形態１に係る身体冷暖具について、図面を参照しながら説明する。
図１に側面で示すように、本考案の実施の形態１に係る身体冷暖具１は、ヘルメット２０のヘッドバンド２１の後部下側に、クリップ１３で保持されている。クリップ１３はストラップ１２の上端に連結されている。ストラップ１２の下端は、収納袋１１の上部に連結されている。収納袋１１に、冷暖ボトル１０が内蔵されている。身体冷暖具１の冷暖ボトル１０は、ヘルメット２０に装着した状態で、収納袋１１を介して、首筋に当接している。
【００１１】
次に、各部の詳細について、図２を参照しながら説明する。
冷暖ボトル１０は、水や湯を充填して密閉できる筒型のボトルである。冷暖ボトル１０は、内部に注入した水を冷凍したり加熱したりできるものであって、プラスチックや金属からなる。冷暖ボトル１０には、一般的に販売されている、ペットボトル入りの飲料ボトルが含まれる。
【００１２】
収納袋１１は、冷暖ボトル１０を内蔵できる大きさである。収納袋１１は、図２の右側に開口部を有し、冷暖ボトル１０を挿入できる構造となっている。開口部は、紐で口を閉じる構造である。冷暖ボトル１０のキャップ部は収納袋１１から突出している。
収納袋１１は、タオル生地などの水分を吸収する素材からなり、吸収した水分が蒸発する時の気化熱によっても、収納袋１１の温度低下の効果がある。また、収納袋１１は汗を吸収させることもできる。なお、収納袋１１の素材は、日光を遮るものである。
なお、収納袋１１の開口部は、収納袋１１の長手方向に形成されても良く、また、口をファスナーやボタン等で閉じる構造としても良い。
【００１３】
ストラップ１２は、収納袋１１の上部に、長手方向のそれぞれの端部付近に連結されている。ストラップ１２の上端に、クリップ１３が配されている。２つのストラップ１２は、それぞれ長さ調整具１４を有する。長さ調整具１４は、収納袋１１の上部とクリップ１３との距離を調整する。
ストラップ１２は、布地、皮革、金属のチェーン等からなる。
【００１４】
クリップ１３は、所定の厚みを有する布地や樹脂シートを咬み込み、簡単に固定されるものである。クリップ１３は、ヘッドバンド２１の後頭部側の下部に固定されている。それぞれのクリップ１３が固定される間隔は、ストラップ１２が収納袋１１に固定されている間隔と略同一であり、ストラップ１２同士が略平行に配置されている。
クリップ１３は、金属や樹脂等からなる。
【００１５】
次に、身体冷暖具１をヘルメット２０に固定して使用する方法について説明する。
まず、冷却又は冷凍された飲料が充填され、密閉された冷暖ボトル１０を、収納袋１１の開口部を開いて挿入する。そして、収納袋１１の開口部にある紐によって、開口部を閉じる。
次に、クリップ１３を、ヘッドバンド２１の後頭部側の下部に固定する。
そして、それぞれの長さ調整具１４の位置を調整して、冷暖ボトル１０を内蔵した収納袋１１が、ヘルメット２０を頭部に装着したときに、水平になり、首筋に当接するようにする。
【００１６】
このように配置された身体冷暖具１をヘルメット２０に固定し、身体に装着することによって、容易に入手できる冷却されたペットボトル入りの飲料などの冷暖ボトル１０で、首筋を冷却することができる。また、冷暖ボトル１０の内部の飲料を摂取することによって、乾きを防止することができる。さらに、屋外での使用では、収納袋１１が首筋にあたる日光を遮るので、体温の上昇を抑える。これによって、熱中症を予防することができる。そして、身体冷暖具１をヘルメット２０から取り外して、顔や首筋の汗を拭き取ることもできる。
また、身体冷暖具１を、ヘルメット２０の側面側に装着することによって、首筋の側面側を冷却することも可能である。
【００１７】
これまで、首筋を冷却する方法について説明したが、冬期など気温が低い環境下での使用においては、冷暖ボトル１０の内部に、加熱した飲料を充填して身体冷暖具１を装着することによって、首筋を暖かくすることができる。なお、加熱した飲料の温度は、人体に有害な温度では無い。
【００１８】
（実施の形態２）
本校案の実施の形態２に係る身体冷暖具について、図面を参照しながら説明する。
図３に側面で示すように、本考案の実施の形態２に係る身体冷暖具１は、実施の形態１と同じである。実施の形態２では、身体冷暖具１を固定する対象が、キャップ３０となる点が異なる。
【００１９】
身体冷暖具１の詳細は既述であるので、身体冷暖具１をキャップ３０に固定して使用する方法について説明する。
冷却又は冷凍された飲料が充填され、密閉された冷暖ボトル１０を、収納袋１１の開口部を開いて挿入する。そして、収納袋１１の開口部にある紐によって、開口部を閉じる。
次に、クリップ１３を、キャップ３０の後頭部側の下部に固定する。
そして、それぞれの長さ調整具１４の位置を調整して、冷暖ボトル１０を内蔵した収納袋１１が、ヘルメット２０を頭部に装着したときに、水平になり、首筋に当接するようにする。
【００２０】
このように配置された身体冷暖具１をキャップ３０に固定し、身体に装着することによって、容易に入手できる冷却されたペットボトル入りの飲料などの冷暖ボトル１０で、首筋を冷却することができる。また、冷暖ボトル１０の内部の飲料を摂取することによって、乾きを防止することができる。さらに、屋外での使用では、収納袋１１が首筋にあたる日光を遮るので、体温の上昇を抑える。これによって、熱中症を予防することができる。そして、身体冷暖具１をキャップ３０から取り外して、顔や首筋の汗を拭き取ることもできる。
また、身体冷暖具１を、キャップ３０の側面側に装着することによって、首筋の側面側を冷却することも可能である。
【００２１】
また、冬期など気温が低い環境下での使用においては、冷暖ボトル１０の内部に、加熱した飲料を充填して身体冷暖具１を装着することによって、首筋を暖かくすることができる。なお、加熱した飲料の温度は、人体に有害な温度では無い。
【００２２】
本考案は、本考案の広義の精神と範囲を逸脱することなく、様々な実施形態及び変形が可能とされるものである。上述した実施形態は、本考案を説明するためのものであり、本考案の範囲を限定するものではない。
【符号の説明】
【００２３】
１  身体冷暖具
１０  冷暖ボトル
１１  収納袋
１２  ストラップ
１３  クリップ
２０  ヘルメット
２１  ヘッドバンド
３０  キャップ
【図１】
0003228608.tif 000003
【図２】
0003228608.tif 000004
【図３】
0003228608.tif 000005